(57)【特許請求の範囲】
【請求項１】
内視鏡の本洗浄前に行われる前記内視鏡の予備洗浄の履歴である予備洗浄履歴を取得する予備洗浄履歴取得手段と、
前記予備洗浄履歴取得手段で取得した前記予備洗浄履歴を予備洗浄履歴記憶手段に記憶する予備洗浄履歴記憶制御手段と、
前記本洗浄にて洗浄対象の前記内視鏡の識別情報を読み込む本洗浄識別情報読み込み手段と、
前記本洗浄識別情報読み込み手段によって読み込まれた識別情報と同一の識別情報を含み当該本洗浄と対となる予備洗浄に関する前記予備洗浄履歴が前記予備洗浄履歴記憶手段に記憶されているか否かを判定する判定手段と、
当該予備洗浄履歴が前記予備洗浄履歴記憶手段に記憶されていないと判定された場合は、前記予備洗浄がされていない旨の警告を行う警告手段とを備えたことを特徴とする洗浄管理装置。
【請求項２】
前記予備洗浄履歴取得手段は、前記内視鏡の識別情報を読み込む予備洗浄識別情報読み込み手段と、
前記予備洗浄が実行されたことを表す予備洗浄実行情報の入力を受け付ける予備洗浄実行情報受け付け手段とからなることを特徴とする請求項１記載の洗浄管理装置。
【請求項３】
前記予備洗浄履歴が前記予備洗浄履歴記憶手段に記憶されていると判定された場合は、前記本洗浄の開始を許可する本洗浄制御手段とを備えたことを特徴とする請求項１または２記載の洗浄管理装置。
【請求項４】
前記本洗浄が実行されたことを表す本洗浄実行情報の入力を受け付ける本洗浄実行情報受け付け手段と、
前記本洗浄実行情報及び前記予備洗浄実行情報が対となる内視鏡洗浄履歴を生成、または更新する内視鏡洗浄履歴管理手段と、
前記内視鏡洗浄履歴を内視鏡洗浄履歴記憶手段に記憶させる内視鏡洗浄履歴記憶制御手段とを備えたことを特徴とする請求項２、または請求項２を引用する請求項３記載の洗浄管理装置。
【請求項５】
前記本洗浄識別情報読み込み手段により読み込まれた前記内視鏡の識別情報及び前記本洗浄実行情報から、前記本洗浄の洗浄履歴である本洗浄履歴を取得する本洗浄履歴取得手段と、
前記本洗浄履歴取得手段で取得した前記本洗浄履歴を本洗浄履歴記憶手段に記憶する本洗浄履歴記憶制御手段とを備えたことを特徴とする請求項４記載の洗浄管理装置。
【請求項６】
前記内視鏡洗浄履歴記憶手段に格納された前記内視鏡洗浄履歴を出力する洗浄履歴出力手段を備えたことを特徴とする請求項４または５記載の洗浄管理装置。
【請求項７】
前記本洗浄履歴取得手段は、前記内視鏡に対して前記本洗浄を行う本洗浄機に設けられたことを特徴とする請求項５、または請求項５を引用する請求項６記載の洗浄管理装置。
【請求項８】
前記内視鏡洗浄履歴管理手段は、前記予備洗浄履歴取得手段とネットワークを介して通信可能なコンピュータに設けられたことを特徴とする請求項４ないし７のうちいずれか１項記載の洗浄管理装置。
【請求項９】
前記内視鏡洗浄履歴記憶手段は前記内視鏡に設けられたことを特徴とする請求項４ないし８のうちいずれか１項記載の洗浄管理装置。
【請求項１０】
前記内視鏡洗浄履歴記憶手段は、前記予備洗浄履歴取得手段及び前記内視鏡に対して前記本洗浄を行う本洗浄機とネットワークを介して通信可能なコンピュータに設けられたことを特徴とする請求項４ないし９のうちいずれか１項記載の洗浄管理装置。
【請求項１１】
前記予備洗浄履歴取得手段は、前記内視鏡に対して前記予備洗浄が行われるシンクの近傍に設けられたことを特徴とする請求項１ないし１０のうちいずれか１項記載の洗浄管理装置。
【請求項１２】
請求項１ないし１１のうちいずれか１項記載の洗浄管理装置と、
前記内視鏡により得られた画像に所定の情報を付与してなる画像管理情報を生成する画像管理装置とを備えたことを特徴とする内視鏡管理システム。
【請求項１３】
内視鏡の本洗浄前に行われる前記内視鏡の予備洗浄の履歴である予備洗浄履歴を取得する予備洗浄履歴取得手段と、
前記予備洗浄履歴取得手段で取得した前記予備洗浄履歴を予備洗浄履歴記憶手段に記憶する予備洗浄履歴記憶制御手段と、
前記本洗浄にて洗浄対象の前記内視鏡の識別情報を読み込む本洗浄識別情報読み込み手段と、
前記本洗浄識別情報読み込み手段によって読み込まれた識別情報と同一の識別情報を含み当該本洗浄と対となる予備洗浄に関する前記予備洗浄履歴が前記予備洗浄履歴記憶手段に記憶されているか否かを判定する判定手段と、
当該予備洗浄履歴が前記予備洗浄履歴記憶手段に記憶されていないと判定された場合は、前記予備洗浄がされていない旨の警告を行う警告手段と、
を含む各手段としてコンピュータを機能させる洗浄管理プログラム。
【請求項１４】
前記予備洗浄履歴取得手段は、前記内視鏡の識別情報を読み込む予備洗浄識別情報読み込み手段と、
前記予備洗浄が実行されたことを表す予備洗浄実行情報の入力を受け付ける予備洗浄実行情報受け付け手段としてコンピュータを機能させることを特徴とする請求項１３記載の洗浄管理プログラム。
【請求項１５】
前記予備洗浄履歴が前記予備洗浄履歴記憶手段に記憶されていると判定された場合は、前記本洗浄の開始を許可する本洗浄制御手段としてコンピュータを機能させることを特徴とする請求項１３または１４記載の洗浄管理プログラム。
【請求項１６】
前記本洗浄が実行されたことを表す本洗浄実行情報の入力を受け付ける本洗浄実行情報受け付け手段と、
前記本洗浄実行情報及び前記予備洗浄実行情報が対となる内視鏡洗浄履歴を生成、または更新する内視鏡洗浄履歴管理手段と、
前記内視鏡洗浄履歴を内視鏡洗浄履歴記憶手段に記憶させる内視鏡洗浄履歴記憶制御手段としてコンピュータを機能させることを特徴とする請求項１４、または請求項１４を引用する請求項１５記載の洗浄管理プログラム。
【請求項１７】
前記本洗浄識別情報読み込み手段により読み込まれた前記内視鏡の識別情報及び前記本洗浄実行情報から、前記本洗浄の洗浄履歴である本洗浄履歴を取得する本洗浄履歴取得手段と、
前記本洗浄履歴取得手段で取得した前記本洗浄履歴を本洗浄履歴記憶手段に記憶する本洗浄履歴記憶制御手段としてコンピュータを機能させることを特徴とする請求項１６記載の洗浄管理プログラム。
【請求項１８】
前記内視鏡洗浄履歴記憶手段に格納された前記内視鏡洗浄履歴を出力する洗浄履歴出力手段としてコンピュータを機能させることを特徴とする請求項１６または１７記載の洗浄管理プログラム。
【発明の詳細な説明】
【技術分野】
【０００１】
本発明は、洗浄管理装置及びプログラム並びに内視鏡管理システムに関するものである。
【背景技術】
【０００２】
従来、医療分野において、電子内視鏡を利用した検査が盛んに行われている。電子内視鏡は、被検者の体腔内に挿入される挿入部を有している。挿入部の先端には、ＣＣＤなどの固体撮像素子や、体腔内を照明する照明部が内蔵されている。ＣＣＤから出力された撮像信号は、電子内視鏡と電気的に接続するプロセッサ装置にて各種信号処理が施され、体腔内の画像としてモニタに表示される。
【０００３】
検査で使用された電子内視鏡は、洗浄処理を経た後、次の検査に用いられるまで、保管室にて保管される。電子内視鏡の洗浄処理は、専用の洗浄機の洗浄槽内にて行われ、洗浄、消毒、すすぎ、乾燥などの各工程を有する。ところが、検査で使用された電子内視鏡をそのまま洗浄槽内にセットして洗浄処理を行っても、体液、汚物等が電子内視鏡に残留することがある。このため、洗浄機による洗浄処理（以下、本洗浄と称する）の前に、簡易的な洗浄処理（以下、予備洗浄と称する）が行われる（例えば、特許文献１、２）。
【０００４】
この予備洗浄としては、電子内視鏡の外面をガーゼや布で拭き取ったり、鉗子チャンネル（吸引チャンネル）や送気・送水用ノズル内に入り込んだ体液や汚物を、ブラシを用いて取り除いたりする等、様々な方法があるが、いずれの洗浄方法が最適であるかは、洗浄対象の電子内視鏡の汚染の程度・質によって異なる。そして、汚染の程度・質を機械により自動判別することは難しいため、洗浄スタッフの目視確認などの手作業により、電子内視鏡の汚染の程度・質に適した洗浄方法が適宜選択されている。
【先行技術文献】
【特許文献】
【０００５】
【特許文献１】特開２００９−２６８５０８号公報
【特許文献２】特開２００７−３２５７２４号公報
【発明の開示】
【発明が解決しようとする課題】
【０００６】
ところで、検査に用いられた電子内視鏡は、洗浄を経た後検査に再利用されるため、感染症の発生の際、電子内視鏡を通じた感染の拡大が懸念される。そのため、感染源を追求するためのトレーサビリティを確保するために、履歴管理が義務付けられる。こうした背景から、検査、洗浄、保管等の各段階において電子内視鏡ごとの履歴を作成する必要がある。
【０００７】
洗浄段階における内視鏡の履歴作成は、予備洗浄と本洗浄とに分けて行うことが理想的である。本洗浄を行う洗浄機には、本洗浄について実施者氏名、実施内容などの履歴を、本洗浄の実行と共に記録する機能が設けられている。一方、予備洗浄には本洗浄のような専用の洗浄機が用いられず手作業で行われるため、予備洗浄の段階で予備洗浄の履歴を電素データで記録することが難しかった。したがって、現時点において、予備洗浄における履歴管理は不十分であるといえる。
【課題を解決するための手段】
【０００８】
上記課題を解決するために、本発明の洗浄管理装置は、内視鏡の本洗浄前に行われる前記内視鏡の予備洗浄の履歴である予備洗浄履歴を取得する予備洗浄履歴取得手段と、前記予備洗浄履歴取得手段で取得した前記予備洗浄履歴を予備洗浄履歴記憶手段に記憶する予備洗浄履歴記憶制御手段とを備えていることを特徴とする。
【０００９】
前記予備洗浄履歴取得手段は、前記内視鏡の識別情報を読み込む予備洗浄識別情報読み込み手段と、前記予備洗浄が実行されたことを表す予備洗浄実行情報の入力を受け付ける予備洗浄実行情報受け付け手段とからなることが好ましい。
【００１０】
前記本洗浄にて洗浄対象の前記内視鏡の識別情報を読み込む本洗浄識別情報読み込み手段と、前記本洗浄識別情報読み込み手段によって読み込まれた識別情報と同一の識別情報を含み当該本洗浄と対となる予備洗浄に関する前記予備洗浄履歴が前記予備洗浄履歴記憶手段に記憶されているか否かを判定する判定手段と、当該予備洗浄履歴が前記予備洗浄履歴記憶手段に記憶されていないと判定された場合は、前記予備洗浄がされていない旨の警告を行う警告手段とを備えたことが好ましい。また、前記予備洗浄履歴が前記予備洗浄履歴記憶手段に記憶されていると判定された場合は、前記本洗浄の開始を許可する本洗浄制御手段とを備えたことが好ましい。
【００１１】
本洗浄が実行されたことを表す本洗浄実行情報の入力を受け付ける本洗浄実行情報受け付け手段と、前記本洗浄実行情報及び前記予備洗浄実行情報が対となる内視鏡洗浄履歴を生成、または更新する内視鏡洗浄履歴管理手段と、前記内視鏡洗浄履歴を内視鏡洗浄履歴記憶手段に記憶させる内視鏡洗浄履歴記憶制御手段とを備えたことが好ましい。また、前記本洗浄識別情報読み込み手段により読み込まれた前記内視鏡の識別情報及び前記本洗浄実行情報から、前記本洗浄の洗浄履歴である本洗浄履歴を取得する本洗浄履歴取得手段と、前記本洗浄履歴取得手段で取得した前記本洗浄履歴を本洗浄履歴記憶手段に記憶する本洗浄履歴記憶制御手段とを備えたことが好ましい。更に、前記内視鏡洗浄履歴記憶手段に格納された前記内視鏡洗浄履歴を出力する洗浄履歴出力手段を備えたことが好ましい。
【００１２】
前記予備洗浄履歴取得手段は、前記内視鏡に対して前記予備洗浄が行われるシンクの近傍に設けられたことが好ましい。また、前記本洗浄履歴取得手段は、前記内視鏡に対して前記本洗浄を行う本洗浄機に設けられたことが好ましい。更に、前記洗浄履歴管理手段は、前記予備洗浄履歴取得手段とネットワークを介して通信可能なコンピュータに設けられたことが好ましい。
【００１３】
前記洗浄履歴記憶手段は前記内視鏡に設けられていてもよいし、前記予備洗浄履歴取得手段及び前記内視鏡に対して前記本洗浄を行う本洗浄機とネットワークを介して通信可能なコンピュータに設けられていてもよい。
【００１４】
本発明の内視鏡管理システムは、上記の洗浄管理装置と、前記内視鏡により得られた画像に所定の情報を付与してなる画像管理情報を生成する画像管理装置とを備えたことを特徴とする。
【００１５】
本発明の洗浄管理プログラムは、内視鏡の本洗浄前に行われる前記内視鏡の予備洗浄の履歴である予備洗浄履歴を取得する予備洗浄履歴取得手段と、前記予備洗浄履歴取得手段で取得した前記予備洗浄履歴を予備洗浄履歴記憶手段に記憶する予備洗浄履歴記憶制御手段としてコンピュータを機能させることを特徴とする。
【００１６】
前記予備洗浄履歴取得手段は、前記内視鏡の識別情報を読み込む予備洗浄識別情報読み込み手段と、前記予備洗浄が実行されたことを表す予備洗浄実行情報の入力を受け付ける予備洗浄実行情報受け付け手段としてコンピュータを機能させることが好ましい。
【００１７】
前記本洗浄にて洗浄対象の前記内視鏡の識別情報を読み込む本洗浄識別情報読み込み手段と、前記本洗浄識別情報読み込み手段によって読み込まれた識別情報と同一の識別情報を含み当該本洗浄と対となる予備洗浄に関する前記予備洗浄履歴が前記予備洗浄履歴記憶手段に記憶されているか否かを判定する判定手段と、当該予備洗浄履歴が前記予備洗浄履歴記憶手段に記憶されていないと判定された場合は、前記予備洗浄がされていない旨の警告を行う警告手段としてコンピュータを機能させることが好ましい。また、前記予備洗浄履歴が前記予備洗浄履歴記憶手段に記憶されていると判定された場合は、前記本洗浄の開始を許可する本洗浄制御手段としてコンピュータを機能させることが好ましい。
【００１８】
本洗浄が実行されたことを表す本洗浄実行情報の入力を受け付ける本洗浄実行情報受け付け手段と、前記本洗浄実行情報及び前記予備洗浄実行情報が対となる内視鏡洗浄履歴を生成、または更新する内視鏡洗浄履歴管理手段と、前記内視鏡洗浄履歴を内視鏡洗浄履歴記憶手段に記憶させる内視鏡洗浄履歴記憶制御手段としてコンピュータを機能させることが好ましい。また、前記本洗浄識別情報読み込み手段により読み込まれた前記内視鏡の識別情報及び前記本洗浄実行情報から、前記本洗浄の洗浄履歴である本洗浄履歴を取得する本洗浄履歴取得手段と、前記本洗浄履歴取得手段で取得した前記本洗浄履歴を本洗浄履歴記憶手段に記憶する本洗浄履歴記憶制御手段としてコンピュータを機能させることが好ましい。更に、前記内視鏡洗浄履歴記憶手段に格納された前記内視鏡洗浄履歴を出力する洗浄履歴出力手段としてコンピュータを機能させることが好ましい。
【発明の効果】
【００１９】
本発明によれば、予備洗浄において、洗浄対象の内視鏡から読み込んだ識別情報に予備洗浄実行情報を付与してなる予備洗浄履歴を生成するため、予備洗浄の履歴を漏れなく正しく記録することができる。したがって、本発明によれば、内視鏡の洗浄、特に予備洗浄においてもトレーサビリティ管理を行うことができる。
【図面の簡単な説明】
【００２０】
【図１】内視鏡管理システムの概要を示す構成図である。
【図２】電子内視鏡の概要を示す側面図である。
【図３】予備洗浄機の概要を示す斜視図である。
【図４】本洗浄機の概要を示す斜視図である。
【図５】本洗浄機の概要を示す斜視図である。
【図６】コンピュータの概要を示す構成図である。
【図７】内視鏡管理システムの機能ブロック図である。
【図８】予備洗浄履歴のデータ構造を示す説明図である。
【図９】本洗浄履歴のデータ構造を示す説明図である。
【図１０】内視鏡洗浄履歴のデータ構造を示す説明図である。
【図１１】予備洗浄の概要を示すフローチャートである。
【図１２】内視鏡洗浄履歴のデータ構造を示す説明図である。
【図１３】本洗浄の概要を示すフローチャートである。
【図１４】シンクユニット及び予備洗履歴取得ユニットの概要を示す斜視図である。
【発明を実施するための形態】
【００２１】
図１に示すように、内視鏡管理システム１０は医療施設１１内に構築される。医療施設１１には、電子内視鏡１２による検査が行われる検査室１１ａと、電子内視鏡１２の予備洗浄を行う予備洗浄室１１ｂと、電子内視鏡１２の本洗浄を行う本洗浄室１１ｃと、洗浄済みの電子内視鏡１２を保管する保管室１１ｄと、サーバ室１１ｅと、操作室１１ｆとからなる。
【００２２】
内視鏡管理システム１０は、医療施設１１内に敷設されたネットワーク１３と、ネットワーク１３に接続可能なネットワーク機器とからなる。
【００２３】
ネットワーク１３に接続可能なネットワーク機器としては、検査室１１ａに備えられ内視鏡コントローラ２１と、予備洗浄室１１ｂに備えられた予備洗浄機２２と、本洗浄室１１ｃに備えられた本洗浄機２３と、保管室１１ｄに備えられ電子内視鏡１２を保管する保管ユニット２４と、サーバ室１１ｅに備えられた内視鏡管理サーバ２５と、操作室１１ｆに備えられた操作用端末２６及びプリンタ２７とがある。
【００２４】
内視鏡コントローラ２１は、プロセッサ装置や光源装置からなり、電子内視鏡１２が電気的に接続される。プロセッサ装置は、電子内視鏡１２から得た撮像信号をモニタへ表示するための画像処理を施す。光源装置は、キセノンランプやレーザ光源などの光源を有しており、電子内視鏡１２に照明光を供給する。
【００２５】
図２に示すように、電子内視鏡１２は、内視鏡本体３０とユニバーサルコード３１とからなる。内視鏡本体３０は、基部に設けられ各種操作を行う操作部３０Ｂと先端部に設けられ体腔内に挿入される挿入部３０Ｔとからなる。更に、挿入部３０Ｔの先端には、ＣＣＤなどを備えた撮像ユニットが内蔵されており、この撮像ユニットによって体腔内が撮像される。ユニバーサルコード３１は、内視鏡本体３０と内視鏡コントローラ２１とを接続する。内視鏡本体３０により得られた撮像信号は、ユニバーサルコード３１を介して、プロセッサ装置に送られる。
【００２６】
また、挿入部３０Ｔには、光源装置からの照明光を導光するライトガイド（図示しない）が挿通されている。このライトガイドにより導光された照明光は、挿入部３０Ｔの先端から体腔内に向けて照射される。更に、挿入部３０Ｔには、患部の治療に用いられる鉗子や注射針などの処置具を挿通するとともに、治療により切除した腫瘍患部などを吸引する鉗子チャンネル３０Ｋと、体腔内に空気又は水などを供給する送気・送水チャンネル３０Ｓとが設けられている。
【００２７】
鉗子チャンネル３０Ｋの鉗子挿入口３０ＫＩには、セミディスポーザブルな鉗子キャップユニット３２が取り付けられている。鉗子チャンネル３０Ｋにおける鉗子の吸引操作は操作部３０Ｂの吸引ボタンユニット３３によって行われ、送気・送水チャンネル３０Ｓにおける送気・送水操作は、操作部３０Ｂの送気・送水ボタンユニット３４によって行われる。鉗子キャップユニット３２、吸引ボタンユニット３３、送気・送水ボタンユニット３４は、内視鏡本体３０から着脱可能である。
【００２８】
内視鏡本体３０の操作部３０Ｂには、パッシブ型のＩＣタグ３０ＴＧが内蔵される。このＩＣタグ３０ＴＧは、他の内視鏡本体と識別することができる固有の識別ＩＤを記憶している。
【００２９】
吸引ボタンユニット３３は、特開平７−３９５１２号公報に示すように、鉗子チャンネル３０Ｋからのエアが出入りする出口管路及び入口管路が設けられたシリンダと、術者による押圧操作用の押しボタン部が設けられたピストンと、ピストンに対する押圧操作を解除したときに、ピストンを所定の位置に戻すためのバネなどを備えている（いずれも図示しない）。
【００３０】
図３に示すように、予備洗浄機２２は、使用済みの電子内視鏡１２に対し予備洗浄を行うためのものであり、電子内視鏡１２の予備洗浄が行われるシンク４１と、水を供給する給水ノズル４２と、洗剤を供給する洗剤供給ノズル４３と、電子内視鏡１２の各チャンネル内の洗浄を行うためのブラシ４４と、洗浄対象の内視鏡本体３０から識別ＩＤの読み込みが可能なタグリーダ４５と、予備洗浄が実行されたことを示す情報（以下、予備洗浄実行情報と称する）を入力するための操作パネル４６と、予備洗浄機２２に設けられた各部品（タグリーダ４５、及び操作パネル４６等）の制御や予備洗浄に関する情報の生成を行う予備洗浄コントローラ４７とからなる。タグリーダ４５や操作パネル４６は、シンク４１の近傍に設けられることが好ましい。
【００３１】
図４に示すように、本洗浄機２３は、使用済みの電子内視鏡１２に対し本洗浄を行うためのものであり、箱状の本洗浄機本体２３Ｂと上蓋２３Ｃとからなる。
【００３２】
図５に示すように、本洗浄機本体２３Ｂは、洗浄槽５０と、載置部材５１と、供給ユニット５２と、洗浄ポート５３と、操作パネル５４と、本洗浄コントローラ５５とを備える。電子内視鏡１２の本洗浄が行われる洗浄槽５０は、本洗浄機本体２３Ｂの上部パネル２３ＢＵに設けられる。
【００３３】
載置部材５１は、洗浄対象の電子内視鏡１２を載置するためのものであり、使用済みの電子内視鏡１２が収容される略円形のネット５１Ｎと、電子内視鏡１２から取り外された各ボタンユニット３２〜３４（図３参照）などの小物部品を収容する小物洗浄かご５１Ｂとからなる。ネット５１Ｎは、洗浄槽５０の底に設けられ、電子内視鏡１２と洗浄槽５０の底面との間に液体が流れ込む隙間を形成する。この隙間の形成により、電子内視鏡１２における洗浄槽５０に供給された液体との接触面積が増大する。小物洗浄かご５１Ｂは、ネット５１Ｎの中央に配される。
【００３４】
供給ユニット５２は、洗浄槽５０へ水・消毒液・洗剤などを供給するためのものであり、洗浄槽５０のテラス部５０ＴＡに設けられる。供給ユニット５２は、洗浄槽５０に水を供給する給水ノズル５２Ｗと、洗浄槽５０に消毒液を供給する消毒液供給ノズル５２Ｓと、洗浄槽５０に洗剤を供給する洗剤供給ノズル５２Ｄとからなる。
【００３５】
洗浄ポート５３は、電子内視鏡１２の鉗子チャンネル３０Ｋ及び送気・送水チャンネル３０Ｓ（いずれも図４参照）内の洗浄、消毒を行うためのものであり、電子内視鏡１２の吸引ボタンユニット３３（図２参照）の装着口に接続可能な送気・送水チャンネル用カプラ５３Ａと、送気・送水ボタンユニット３４（図２参照）の装着口に接続可能な送気・送水チャンネル用カプラ５３Ｂとからなる。各カプラ５３Ａ，５３Ｂは、それぞれ洗浄槽５０のテラス部５０ＴＢに設けられる。
【００３６】
操作パネル５４は、本洗浄が実行されたことを示す情報（以下、本洗浄実行情報と称する）を入力するためものであり、上部パネル２３ＢＵの手前部分に設けられる。操作パネル５４は、各種の操作指示を入力するための設定ボタン５４Ａ、各種表示を行なうディスプレイ５４Ｂと、洗浄、消毒の開始を指示するスタートボタン５４Ｃなどを備えている。
【００３７】
上蓋２３Ｃは、洗浄槽５０の開口を塞ぐ閉じ位置と、閉じ位置（図４参照）から対比した開き位置との間で移動自在となっている。上蓋２３Ｃは図示しないモータと接続する。本洗浄機本体２３Ｂの下方には、上蓋２３Ｃの開閉操作を行うフットスイッチ５８が設けられている。上蓋２３Ｃが閉じ位置にあるときにフットスイッチ５８を操作すると、上蓋２３Ｃは開き位置となる。また、上蓋２３Ｃが開き位置にあるときにフットスイッチ５８を操作すると、上蓋２３Ｃは閉じ位置となる。
【００３８】
上蓋２３Ｃに設けられたタグリーダ６０は、洗浄対象の電子内視鏡１２から識別ＩＤを読み込むためのものであり、上蓋２３Ｃが閉じ位置のときに、洗浄槽５０内に載置された電子内視鏡１２のＩＣタグ３０ＴＧと対向する。タグリーダ６０は、ＩＣタグ３０ＴＧのみと通信を行うセレクティブアクセス方式で、ＩＣタグ３０ＴＧ（図２参照）から識別ＩＤを読み取り可能である。
【００３９】
本洗浄コントローラ５５は、本洗浄機２３に設けられた各部品（供給ユニット５２、洗浄ポート５３、操作パネル５４、及びタグリーダ６０等）の制御や本洗浄に関する情報の生成を行うものであり、本洗浄機本体２３Ｂに内蔵される。
【００４０】
図１に戻って、保管ユニット２４は、洗浄済みの電子内視鏡１２を保管する複数の保管ケース６３と、保管ケース６３に設けられたタグリーダ６４とからなる。タグリーダ６４は、保管ケース６３内に収容された電子内視鏡１２から識別ＩＤを読み込み可能となっている。
【００４１】
内視鏡管理サーバ２５は、電子内視鏡１２により撮像された画像を示す情報６５を格納する検査画像ＤＢ６６と、電子内視鏡１２の内視鏡洗浄履歴６７を格納する内視鏡洗浄履歴ＤＢ６８とを備える。内視鏡洗浄履歴６７は、電子内視鏡１２の識別情報ごとの洗浄履歴からなる。内視鏡管理サーバ２５は、各情報６５、６７に含まれる各項目を検索キーとして、検索が可能になっている。
【００４２】
操作用端末２６は、内視鏡管理サーバ２５に対する所定の要求信号の出力、所定の証明書の印刷等に利用される。プリンタ２７は、操作用端末２６の要求に応じて所定の証明書の印刷を行う。
【００４３】
内視鏡管理サーバ２５、操作用端末２６、予備洗浄コントローラ４７、及び本洗浄コントローラ５５は、それぞれ、パーソナルコンピュータ、サーバ用コンピュータ、ワークステーションといったコンピュータをベースに、オペレーティングシステムなどの制御プログラムや、クライアントプログラム又はサーバプログラムといったアプリケーションプログラムをインストールして構成される。
【００４４】
図６に示すように、コンピュータの基本的な構成は略同じであり、それぞれ、ＣＰＵ７１、メモリ７２、ストレージデバイス７３、ネットワークポート７４、及びコンソール７６を備えている。これらはデータバス７７を介して接続されている。コンソール７６は、ディスプレイ７８と、キーボード、マウス、タッチパネルなどの入力デバイス７９とからなる。
【００４５】
ストレージデバイス７３は、例えば、ＨＤＤ（Hard Disk Drive）であり、制御プログラムやアプリケーションプログラム（以下、ＡＰという）８０が格納される。また、ＤＢが構築されるサーバには、プログラムを格納するＨＤＤとは別に、ＤＢ用のストレージデバイス７３として、例えば、ＨＤＤを複数台連装したディスクアレイが設けられる。ディスクアレイは、サーバ本体に内蔵されるものでもよいし、サーバ本体とは別に設けられ、サーバ本体にケーブルやネットワークを通じて接続されるものでもよい。
【００４６】
メモリ７２は、ＣＰＵ７１が処理を実行するためのワークメモリである。ＣＰＵ７１は、ストレージデバイス７３に格納された制御プログラムをメモリ７２へロードして、制御プログラムに従った処理を実行することにより、コンピュータの各部を統括的に制御する。ネットワークポート７４は、ネットワーク１３との間の伝送制御を行うネットワークインタフェースである。
【００４７】
予備洗浄コントローラ４７には、ＡＰ８０として、予備洗浄の履歴を示す予備洗浄履歴を生成するための予備洗浄プログラムがインストールされている。
【００４８】
本洗浄コントローラ５５には、ＡＰ８０として、本洗浄の履歴を示す本洗浄履歴を生成するための本洗浄プログラムがインストールされている。
【００４９】
内視鏡管理サーバ２５には、ＡＰ８０として、予備洗浄機２２、本洗浄機２３や操作用端末２６といったクライアントからの要求に応じて処理を実行し、処理結果を応答するサーバプログラムがインストールされている。内視鏡管理サーバ２５のＣＰＵは、サーバプログラムを実行することにより、格納処理部及び検索処理部として機能する。格納処理部は、クライアントからのデータ格納要求に応じて、所定のデータを所定のＤＢへ格納する処理を実行する。また、検索処理部は、クライアントからの検索要求に応答して、要求されたデータを各ＤＢから検索して、検索されたデータを要求元へ送信する。
【００５０】
操作用端末２６には、ＡＰ８０として、ＤＢへのアクセスを行うＤＢアクセス要求ソフトウェアといったクライアントプログラムがインストールされている。クライアントプログラムが起動されると、操作用端末２６のディスプレイには、ＧＵＩ（Graphical User Interface）による操作画面が表示される。
【００５１】
図７に示すように、予備洗浄コントローラ４７のＣＰＵは、予備洗浄プログラムを実行することにより、予備洗浄履歴生成部８６と予備洗浄機通信部８７として機能する。
【００５２】
予備洗浄履歴生成部８６は、タクリーダ４５から識別ＩＤを識別情報として読み取り可能である。また、予備洗浄履歴生成部８６は、操作パネル４６からの操作信号に応じて、予備洗浄実行情報を読み取り可能である。更に、予備洗浄履歴生成部８６は、タクリーダ４５から読み込まれた識別情報と操作パネル４６の操作信号から得た予備洗浄実行情報とから、予備洗浄履歴を生成可能である。
【００５３】
図８に示すように、予備洗浄履歴Ｙ１は、識別情報Ｙ１１と、予備洗浄実行情報Ｙ１２とからなる。識別情報Ｙ１１には、タグリーダ４５が読み込んだ識別ＩＤが格納される。予備洗浄実行情報Ｙ１２には、予備洗浄実行者氏名と、予備洗浄実行日時と、洗浄内容とが格納される。予備洗浄実行者氏名及び洗浄内容は、操作パネル４６の操作によって入力可能である。予備洗浄実行日時は、操作パネル４６の操作によって入力可能としてもよいし、タクリーダ４５が識別ＩＤを読み込んだときの時刻としてもよい。この時刻は、予備洗浄機２２の内蔵クロックから読み込み可能である。
【００５４】
図７に戻って、予備洗浄機通信部８７は、予備洗浄機送信部８７Ｓと予備洗浄機受信部８７Ｒとからなる。予備洗浄機送信部８７Ｓは、予備洗浄履歴をネットワーク１３へ送信可能である。予備洗浄機受信部８７Ｒは、予備洗浄機２２に対する所定の信号を受信可能である。
【００５５】
本洗浄コントローラ５５のＣＰＵは、本洗浄プログラムを実行することにより、本洗浄履歴生成部９１と本洗浄機通信部９２とディスプレイドライバ９３として機能する。
【００５６】
本洗浄履歴生成部９１は、タクリーダ６０から識別ＩＤを識別情報として読み取り可能である。また、本洗浄履歴生成部９１は、設定ボタン５４Ａからの操作信号に応じて、本洗浄の実行を示す情報（以下、本洗浄実行情報と称する）を読み取り可能である。更に、本洗浄履歴生成部９１は、タクリーダ６０から読み込まれた識別情報と本洗浄実行情報とから、本洗浄履歴を生成可能である。加えて、本洗浄履歴生成部９１は、スタートボタン５４Ｃからの操作信号を検知すると、本洗浄履歴を内視鏡管理サーバ２５へ送信する。
【００５７】
図９に示すように、本洗浄履歴Ｙ２は、識別情報Ｙ２１と本洗浄実行情報Ｙ２２とからなる。識別情報Ｙ２１には、タグリーダ６０が読み込んだ識別ＩＤが格納される。本洗浄実行情報Ｙ２２には、本洗浄実行者氏名と、本洗浄実行日時と、洗浄内容とが格納される。本洗浄実行者氏名及び洗浄内容は、設定ボタン５４Ａの操作によって入力可能である。本洗浄実行日時は、設定ボタン５４Ａの操作によって入力可能としてもよいし、タクリーダ６０が識別ＩＤを読み込んだとき、または、スタートボタン５４Ｃが操作されたときの時刻としてもよい。当該時刻は、本洗浄機２３の内蔵クロックから読み込み可能である。
【００５８】
図７に戻って、本洗浄機通信部９２は、本洗浄機送信部９２Ｓと本洗浄機受信部９２Ｒとからなる。本洗浄機送信部９２Ｓは、本洗浄履歴をネットワーク１３へ送信可能である。本洗浄機受信部９２Ｒは、本洗浄機２３に対する所定の信号を受信可能である。
【００５９】
ディスプレイドライバ９３は、本洗浄機受信部９２Ｒが受信した警告要求信号に基づいて、所定の警告表示をディスプレイ５４Ｂに出力可能である。
【００６０】
洗浄部９４は、供給ユニット５２（図５参照）や洗浄ポート５３（図５参照）等からなり、本洗浄機受信部９２Ｒが受信した洗浄要求信号に基づいて、洗浄対象の電子内視鏡１２の本洗浄が可能である。
【００６１】
内視鏡管理サーバ２５のＣＰＵは、サーバプログラムを実行することにより、サーバ通信部１００と、洗浄履歴管理部１０１と、ＤＢコントローラ１０２と、本洗浄機制御部１０３として機能する。
【００６２】
サーバ通信部１００はサーバ送信部１００Ｓと、サーバ受信部１００Ｒとからなる。サーバ送信部１００Ｓは、所定の要求信号をネットワーク１３へ送信可能である。サーバ受信部１００Ｒは、内視鏡管理サーバ２５に対する所定の信号を受信可能である。
【００６３】
洗浄履歴管理部１０１は、予備洗浄履歴や本洗浄履歴の受信が可能である。洗浄履歴管理部１０１は、予備洗浄履歴を受信したとき、予備洗浄履歴と共通の識別情報を有する内視鏡洗浄履歴６７が内視鏡洗浄履歴ＤＢ６８に格納されているか否かを判定する。受信した予備洗浄履歴と共通の識別情報を有する内視鏡洗浄履歴６７が内視鏡洗浄履歴ＤＢ６８に格納されていないと判定されたとき、洗浄履歴管理部１０１は、当該予備洗浄履歴Ｙ１を内視鏡洗浄履歴ＤＢ６８へ内視鏡洗浄履歴６７（図１０参照）として格納可能である。このように、洗浄履歴管理部１０１は、内視鏡洗浄履歴６７の生成が可能である。
【００６４】
また、受信した予備洗浄履歴と共通の識別情報を有する内視鏡洗浄履歴６７が内視鏡洗浄履歴ＤＢ６８に格納されていると判定されたとき、洗浄履歴管理部１０１は、内視鏡洗浄履歴ＤＢ６８に格納された内視鏡洗浄履歴６７（図１０参照）に当該予備洗浄履歴Ｙ１を付与することにより、内視鏡洗浄履歴６７の更新が可能である。同様に、洗浄履歴管理部１０１は、本洗浄履歴を受信したとき、内視鏡洗浄履歴ＤＢ６８に格納された内視鏡洗浄履歴６７に当該本洗浄履歴を付与することにより、内視鏡洗浄履歴６７（図１０参照）の更新が可能である。
【００６５】
図１０に示すように、内視鏡洗浄履歴６７はヘッダ部６７Ｈと洗浄履歴部６７Ｓとからなる。ヘッダ部６７Ｈには、１回目の予備洗浄履歴Ｙ１に含まれる識別情報Ｙ１１、すなわち、１回目の予備洗浄が行われた電子内視鏡１２の識別ＩＤが格納される。洗浄履歴部６７Ｓは、ヘッダ部６７Ｈに格納された識別ＩＤの電子内視鏡１２に関する洗浄履歴を表すものである。洗浄履歴部６７Ｓには、ｉ回目の予備洗浄実行情報Ｙ１２（ｉ）とｉ回目の本洗浄実行情報Ｙ２２（ｉ）とが対となって格納される（ｉ＝１，２，３、・・・ｎ）。図１０には、１〜ｎ回目の洗浄処理における洗浄履歴情報が格納された洗浄履歴部６７Ｓを示す。
【００６６】
ＤＢコントローラ１０２は、所定の要求信号に応じて、検査画像ＤＢ６６や内視鏡洗浄履歴ＤＢ６８への所定の情報の追加・更新・検索の問い合わせ・検索結果の出力を行うためのものである。
【００６７】
本洗浄機制御部１０３は、判定部１０３Ａと警告制御部１０３Ｂと本洗浄制御部１０３Ｃとからなる。判定部１０３Ａは、内視鏡管理サーバ２５が受信した識別情報Ｙ２１と識別ＩＤが一致する内視鏡洗浄履歴６７（図１０参照）を内視鏡洗浄履歴ＤＢ６８から読み込む。更に、判定部１０３Ａは、読み込んだ内視鏡洗浄履歴６７に、本洗浄履歴と対となっていない予備洗浄履歴、すなわち単独の予備洗浄履歴が含まれているか否かを判定する。警告制御部１０３Ｂは、警告要求信号を本洗浄機２３へ送信可能である。本洗浄制御部１０３Ｃは、本洗浄開始許可信号・本洗浄開始禁止信号を本洗浄機２３へ送信可能である。
【００６８】
操作用端末２６のＣＰＵは、クライアントプログラムを実行することにより、洗浄履歴出力要求部１１０と、通信部１１１として機能する。洗浄履歴出力要求部１１０は、内視鏡管理サーバ２５に対し、所定の識別ＩＤについての洗浄履歴要求信号を出力する。通信部１１１は、端末送信部と、端末受信部とからなる。端末送信部は、所定の要求信号をネットワーク１３へ送信可能である。端末受信部は、操作用端末２６に対する所定の信号を受信可能である。
【００６９】
こうして、内視鏡管理システム１０は、電子内視鏡１２の洗浄履歴を管理する洗浄管理装置と、内視鏡の検査画像を管理する画像管理装置として機能する。洗浄管理装置は、予備洗浄機２２と、本洗浄機２３と、操作用端末２６と、プリンタ２７（図１参照）と、内視鏡洗浄履歴ＤＢ６８と、各部１００〜１０３とからなる。画像管理装置は、操作用端末２６と、内視鏡コントローラ２１（図１参照）と、ＤＢコントローラ１０２と、検査画像ＤＢ６６（図１参照）とからなる。
【００７０】
次に、本発明の作用について説明する。図１に示すように、検査室１１ａでは、電子内視鏡１２を用いた検査が行われる。検査では、電子内視鏡１２の挿入部３０Ｔが体腔内に挿入される。電子内視鏡１２により撮像された画像を示す情報６５は、検査画像ＤＢ６５に格納される。検査画像ＤＢ６５に格納された情報６５は、操作用端末２６の操作により閲覧可能となる。
【００７１】
検査の後、使用済みの電子内視鏡１２は、予備洗浄室１１ｂ、本洗浄室１１ｃへと順次送られる。予備洗浄室１１ｂでは、電子内視鏡１２の洗浄レベルが一定に達するまで、予備洗浄が行われる。本洗浄室１１ｃでは、電子内視鏡１２の本洗浄が行われる。電子内視鏡１２の本洗浄は、予め決められた洗浄メニューからなる。本洗浄済みの電子内視鏡１２は、次の検査に用いられるまで、保管室１１ｄにて保管される。
【００７２】
予備洗浄について、図１１のフローチャートを用いて説明する。検査済みの電子内視鏡１２をシンク４１（図３参照）に置く。そして、水や洗剤を供給しながら、ブラシ４４（図３参照）を用いて電子内視鏡１２を洗浄する（Ｓ１０）。
【００７３】
予備洗浄コントローラ４７は、タグリーダ４５（図７参照）を介して、洗浄対象の電子内視鏡１２のＩＣタグ３０ＴＧ（図２参照）から識別情報Ｙ１１（図８参照）を読み込む（Ｓ１１）。予備洗浄コントローラ４７が、操作パネル４６（図７参照）の操作を検知すると、この操作により入力された予備洗浄実行情報Ｙ１２（図８参照）を操作パネル４６上のディスプレイに表示する。次に、予備洗浄コントローラ４７が、操作パネル４６上のＯＫボタンの操作を検知すると、予備洗浄履歴生成部８６（図７参照）は、操作パネル４６上のディスプレイに表示された予備洗浄実行情報Ｙ１２を、タグリーダ４５が読み込んだ識別情報Ｙ１１に付与して予備洗浄履歴Ｙ１（図８参照）を生成する（Ｓ１２）。予備洗浄コントローラ４７の制御の下、予備洗浄機通信部８７は、予備洗浄履歴Ｙ１を内視鏡管理サーバ２５へ送信する。
【００７４】
洗浄履歴管理部１０１は、予備洗浄履歴Ｙ１を受信したとき、受信した予備洗浄履歴Ｙ１と共通の識別ＩＤを有する内視鏡洗浄履歴６７が内視鏡洗浄履歴ＤＢ６８に格納されているか否かを判定する。そして、この判定結果に基づいて、内視鏡洗浄履歴６７の生成・更新を行う（Ｓ１３）。
【００７５】
受信した予備洗浄履歴Ｙ１と共通の識別ＩＤを有する内視鏡洗浄履歴６７が内視鏡洗浄履歴ＤＢ６８に格納されていないと判定されたとき、洗浄履歴管理部１０１は、当該予備洗浄履歴Ｙ１を内視鏡洗浄履歴６７として生成し、これを内視鏡洗浄履歴ＤＢ６８に格納する。また、受信した予備洗浄履歴Ｙ１と共通の識別ＩＤを有する内視鏡洗浄履歴６７が内視鏡洗浄履歴ＤＢ６８に格納されていると判定されたとき、洗浄履歴管理部１０１は、当該予備洗浄履歴Ｙ１に含まれる予備洗浄実行情報Ｙ１２を、内視鏡洗浄履歴ＤＢ６８に格納された内視鏡洗浄履歴６７（図１０参照）に付与し、内視鏡洗浄履歴６７を更新する（図１２参照）。
【００７６】
本発明によれば、予備洗浄履歴Ｙ１をなす識別情報Ｙ１１及び予備洗浄実行情報Ｙ１２を、予備洗浄直後に入力することが可能であるため、予備洗浄・本洗浄が一連に行われない場合や、予備洗浄を行うスタッフと本洗浄を行うスタッフとが同一人でない場合であっても、未だ予備洗浄がなされていない内視鏡であるにもかかわらず「予備洗浄は実行済み」との誤入力されるケースや予備洗浄の履歴の入力が漏れてしまうケースを未然に防ぐことができる。したがって、本発明によれば、実際の予備洗浄内容を反映した洗浄履歴をつくることが可能となり、ひいては、実効性のある履歴管理が可能となる。
【００７７】
次に、本洗浄について、図１３のフローチャートを用いて説明する。上蓋２３Ｃを開き位置にして、検査済みの電子内視鏡１２をネット５１Ｎ（図５参照）に置く（Ｓ２１）。上蓋２３Ｃを閉じ位置にすると、本洗浄コントローラ５５は、タグリーダ６０（図７参照）を介してネット５１Ｎに載置された電子内視鏡１２から識別情報Ｙ２１を読み取る（Ｓ２２）。次に、本洗浄コントローラ５５が、操作パネル５４の操作を検知すると、この操作により入力された本洗浄実行情報Ｙ２２（図９参照）を操作パネル４６上のディスプレイに表示する。そして、本洗浄コントローラ５５は、スタートボタン５４Ｃの操作を検知すると、送信部９２Ｓにより識別情報Ｙ２１を内視鏡管理サーバ２５へ送信する（Ｓ２３）。
【００７８】
判定部１０３Ａ（図７参照）は、受信した識別情報Ｙ２１と同一の識別ＩＤを有する内視鏡洗浄履歴６７（図１０参照）を内視鏡洗浄履歴ＤＢ６８（図７参照）から読み込み、読み込んだ内視鏡洗浄履歴６７に単独の予備洗浄履歴が含まれているか否かを判定する。そして、当該内視鏡洗浄履歴６７に単独の予備洗浄履歴が含まれている（図１２参照）と判定されたときは、本洗浄制御部１０３Ｃは本洗浄機２３へ本洗浄開始許可信号を出力する（Ｓ２４のＹｅｓ）。
【００７９】
本洗浄コントローラ５５の制御の下、洗浄部９４は、内視鏡管理サーバ２５からの本洗浄開始許可信号を受信すると、ネット５１Ｎに載置された電子内視鏡１２に対し、本洗浄を行う（Ｓ２５）。本洗浄の完了後、本洗浄コントローラ５５の制御の下、本洗浄履歴生成部９１（図７参照）は、タグリーダ６０が読み込んだ識別情報Ｙ２１に、本洗浄機２３のメモリに保持された本洗浄実行情報Ｙ２２を付与して本洗浄履歴Ｙ２（図９参照）を生成する（Ｓ２６）。送信部９２Ｓは、生成した本洗浄履歴Ｙ２（図９参照）を内視鏡管理サーバ２５へ送信する。
【００８０】
洗浄履歴管理部１０１は、本洗浄履歴Ｙ２を受信すると、本洗浄履歴Ｙ２と共通の識別ＩＤを有する内視鏡洗浄履歴６７を内視鏡洗浄履歴ＤＢ６８から読み出す。次に、洗浄履歴管理部１０１は、内視鏡洗浄履歴ＤＢ６８から読み出した内視鏡洗浄履歴６７において、判定部１０３Ａが検知した単独の予備洗浄履歴と対になるように、受信した本洗浄履歴Ｙ２に含まれる本洗浄実行情報Ｙ２２を付与する。こうして、内視鏡洗浄履歴６７の更新が行われる（Ｓ２７）。
【００８１】
Ｓ２４において、当該内視鏡洗浄履歴６７に単独の予備洗浄履歴が含まれていないと判定されたときは、警告制御部１０３Ｂは本洗浄機２３へ警告要求信号を送信する（Ｓ２４のＮｏ）。これに併せて、本洗浄制御部１０３Ｃは、本洗浄機２３へ本洗浄開始禁止信号を送信してもよい。ディスプレイドライバ９３は、内視鏡管理サーバ２５からの警告要求信号を受信すると、本洗浄機２３のメモリに格納された警告画面情報に基づく警告画面（図１３参照）を、ディスプレイ５４Ｂに出力する（Ｓ３５）。
【００８２】
警告画面では、本洗浄機２３にセットされた電子内視鏡１２が未だ予備洗浄がなされていない旨を警告する。なお、本洗浄機２３にセットされた電子内視鏡１２について予備洗浄を行う旨を警告しても良い。また、前者の警告と後者の警告とのうちいずれの一方だけを報知でもよいし、両方報知してもよい。
【００８３】
本発明では、本洗浄機２３にセットされた電子内視鏡１２が予備洗浄済みであるか否かを判定し、予備洗浄が未だ実行されていないと判定された場合には、本洗浄を行わずに、予備洗浄を行う旨の警告を行うため、予備洗浄の実行漏れを防止することができる。
【００８４】
上記実施形態では、判定部１０３Ａが読み込んだ内視鏡洗浄履歴６７に単独の予備洗浄履歴が含まれているか否かを判定したが、本発明はこれに限られず、読み込んだ内視鏡洗浄履歴６７に含まれる最新の予備洗浄履歴が、単独の予備洗浄履歴であるか否かと判定しても良い。
【００８５】
次に、洗浄履歴情報の出力について説明する。
【００８６】
図７に示すように、操作用端末２６の操作により、洗浄履歴出力要求部１１０が、内視鏡管理サーバ２５へ洗浄履歴出力要求信号を出力する。洗浄履歴管理部１０１は、受信した洗浄履歴出力要求信号に基づく内視鏡洗浄履歴６７を内視鏡洗浄履歴ＤＢ６８から読み出し、プリンタ２７（図１参照）へ印刷要求信号を送信する。印刷要求信号を受信したプリンタ２７は、当該印刷要求信号に基づく内視鏡洗浄履歴６７を印刷する。内視鏡洗浄履歴６７には、ｉ回目の予備洗浄履歴とｉ回目の本洗浄履歴とが対になって格納される。内視鏡洗浄履歴６７は、操作用端末２６からの操作により、洗浄履歴として印刷が可能である。印刷された洗浄履歴には、ｉ回目の予備洗浄履歴とｉ回目の本洗浄履歴とが対になって表される。このような洗浄履歴は、従来の本洗浄履歴のみからなる洗浄履歴に比べ、信頼性が高い。
【００８７】
なお、内視鏡洗浄履歴６７は、操作用端末２６からの操作により、操作用端末２６などのディスプレイに表示しても良い。
【００８８】
上記実施形態では、電子内視鏡１２に設けられたＩＣタグ３０ＴＧは、予め格納された識別ＩＤの読み取りのみが可能なＲＯＭタイプであったが、予め格納された識別ＩＤに加え、新たな情報を書き込み可能なＲＡＭタイプであってもよい。当該新たな情報としては、予備洗浄実行情報、予備洗浄履歴、本洗浄実行情報、本洗浄履歴、洗浄履歴などがある。そして、ＩＣタグ３０ＴＧに洗浄履歴情報を格納する場合には、内視鏡洗浄履歴ＤＢ６８を省略することも可能である。
【００８９】
上記実施形態では、予備洗浄履歴生成部８６を予備洗浄機２２のＣＰＵに機能させたが、これに代えて、予備洗浄履歴生成部８６を本洗浄機２３や内視鏡管理サーバ２５のＣＰＵに機能させても良い。同様に、本洗浄履歴生成部９１を本洗浄機２３のＣＰＵに機能させたが、これに代えて、本洗浄履歴生成部９１を予備洗浄機２２や内視鏡管理サーバ２５のＣＰＵに機能させても良い。
【００９０】
なお、各チャンネルに圧縮エアを送り込み、チャンネルに孔や亀裂が生じていないかを試験するための気密試験ポートを、予備洗浄機２２や本洗浄機２３に設けても良い。そして、気密試験結果を、予備洗浄実行情報や本洗浄実行情報に含めても良い。
【００９１】
上記実施形態において、予備洗浄履歴生成部８６は、操作パネル４６からの操作信号に応じて予備洗浄実行者氏名を読み取り可能としたが、本発明はこれに限られず、予備洗浄履歴生成部８６は、予備洗浄機２２に設けられた読み取り手段を用いて予備洗浄実行者氏名を読み取っても良い。同様に、本洗浄履歴生成部９１は、設定ボタン５４Ａからの操作信号に応じて本洗浄実行情報を読み取り可能としたが、本洗浄機２３に設けられた読み取り手段を用いて本洗浄実行者氏名を読み取っても良い。予備洗浄機２２や本洗浄機２３に設けられた読み取り手段としては、洗浄実行者氏名を表すバーコードから洗浄実行者氏名を読み取り可能なバーコードリーダや、洗浄実行者氏名が格納されたＩＣタグから洗浄実行者氏名を読み取り可能なタグリーダなどがあり、いずれを用いてもよい。
【００９２】
上記実施形態では、予備洗浄機２２にタグリーダ４５を設けたが、本発明はこれに限られない。例えば、本洗浄機２３（例えば、本洗浄コントローラ５５）に電気的に接続するタグリーダ４５を、予備洗浄機２２の近傍に配しても良い。また、タグリーダ４５を着脱自在に予備洗浄機２２に設けても良い。同様に、本洗浄機２３（例えば、本洗浄コントローラ５５）に電気的に接続する操作パネル４６を、予備洗浄機２２の近傍に配しても良い。また、本洗浄機２３を着脱自在に予備洗浄機２２に設けても良い。
【００９３】
上記実施形態では、予備洗浄が行なわれるシンク４１、及びシンク４１の近傍に設けられた各部４５〜４６を備えた予備洗浄機２２を用いたが、本発明はこれに限られず、シンク４１を備えたシンクユニット１２１（図１４参照）を用いてもよい。シンクユニット１２１を用いる場合には、内視鏡管理サーバ２５とネットワークを介して通信可能であり各部４５〜４７を備えた予備洗浄履歴ユニット１２２をシンクユニット１２１の近傍に設けることが好ましい。
【００９４】
なお、各部４５〜４７が一体となった予備洗浄履歴ユニット１２２に代えて、各部品４５〜４７をそれぞれシンク４１の近傍に設けてもよい。
【符号の説明】
【００９５】
１０  内視鏡管理システム
２２  予備洗浄機
２３  本洗浄機
２５  内視鏡管理サーバ
２６  操作用端末
２７  プリンタ
３０ＴＧ  ＩＣタグ
４５、６０  タグリーダ
４６、５４  操作パネル
６７  内視鏡洗浄履歴情報
６８  内視鏡洗浄履歴ＤＢ
８６  予備洗浄履歴生成部
９１  本洗浄履歴生成部
１０１  洗浄履歴管理部
１０３  本洗浄機制御部
１０３Ａ  判定部
１０３Ｂ  警告制御部
１０３Ｃ  本洗浄制御部
【図１】
0005362768.tif 000002
【図２】
0005362768.tif 000003
【図３】
0005362768.tif 000004
【図４】
0005362768.tif 000005
【図５】
0005362768.tif 000006
【図６】
0005362768.tif 000007
【図７】
0005362768.tif 000008
【図８】
0005362768.tif 000009
【図９】
0005362768.tif 000010
【図１０】
0005362768.tif 000011
【図１１】
0005362768.tif 000012
【図１２】
0005362768.tif 000013
【図１３】
0005362768.tif 000014
【図１４】
0005362768.tif 000015